(57)【要約】【課題】リモコン付きのテレビジョン受像機において、復電（停電復帰）時の時計校正の手間を省く。【解決手段】機器本体１０が復電した場合に、機器本体１０からリモコン２０に時刻データ要求信号が出力される。時刻データ要求信号を受けると、リモコン２０から機器本体１０に電波時計２２の時刻データが送信される。電波時計２２の時刻データに基づき、機器本体１０の内蔵時計１５の時刻が修正される。これにより、機器本体１０が復電すると、それを検出して内蔵時計１５の時刻が自動的に修正されるので、時計校正に手間がかからない。【選択図】図２
2006329948.tif 000002
【特許請求の範囲】
【請求項１】
電波時計を備えたリモコンで操作可能な機器本体が復電した場合に時刻合わせをする時計校正システムであって、
前記機器本体は、
内蔵時計と、
前記機器本体の復電を検出する復電検出手段と、
前記機器本体が復電した場合に前記リモコンに対して時刻データ要求信号を出力する時刻データ要求手段と、
前記内蔵時計の時刻を前記電波時計の時刻データに基づいて修正する時刻修正手段とを有し、
前記リモコンは、
前記時刻データ要求信号を受けて前記電波時計の時刻データを前記機器本体に送信する時刻データ送信手段を有することを特徴とする時計校正システム。
【請求項２】
電波時計を備えたリモコンで操作可能な機器本体が復電した場合に時刻合わせをする時計校正システムであって、
前記機器本体は、
内蔵時計と、
前記機器本体の復電を検出する復電検出手段と、
タイマー設定を受け付けるタイマー設定受付手段と、
前記機器本体が復電し、かつタイマー設定が受け付けられた場合に前記リモコンに対して時刻データ要求信号を出力する時刻データ要求手段と、
前記内蔵時計の時刻を前記電波時計の時刻データに基づいて修正する時刻修正手段とを有し、
前記リモコンは、
前記時刻データ要求信号を受けて前記電波時計の時刻データを前記機器本体に送信する時刻データ送信手段を有することを特徴とする時計校正システム。
【請求項３】
前記電波時計の受信状態が悪いときに警告を発することを特徴とする請求項１又は２に記載の時計校正システム。
【請求項４】
前記時刻修正手段は、前記電波時計の時刻に対して前記内蔵時計の時刻を所定時間ずらすことを特徴とする請求項１乃至３のいずれかに記載の時計校正システム。
【請求項５】
前記時刻データ送信手段は、所定時間ごとに前記電波時計の時刻データを送信することを特徴とする請求項１乃至４のいずれかに記載の時計校正システム。
【請求項６】
前記時刻データ送信手段は、前記機器本体の電源回路が駆動されるたびに前記電波時計の時刻データを送信することを特徴とする請求項１乃至５のいずれかに記載の時計校正システム。
【請求項７】
電波時計を備えたリモコンで遠隔操作される機器本体であって、
内蔵時計と、
復電を検出する復電検出手段と、
復電した場合に前記リモコンに対して時刻データ要求信号を出力する時刻データ要求手段と、
前記内蔵時計の時刻を前記電波時計の時刻データに基づいて修正する時刻修正手段と
を有することを特徴とする機器本体。
【請求項８】
電波時計を備えたリモコンで遠隔操作される機器本体であって、
内蔵時計と、
復電を検出する復電検出手段と、
タイマー設定を受け付けるタイマー設定受付手段と、
復電し、かつタイマー設定が受け付けられた場合に前記リモコンに対して時刻データ要求信号を出力する時刻データ要求手段と、
前記内蔵時計の時刻を前記電波時計の時刻データに基づいて修正する時刻修正手段と
を有することを特徴とする機器本体。
【請求項９】
前記電波時計の受信状態が悪いときに警告を発することを特徴とする請求項７又は８に記載の機器本体。
【請求項１０】
前記時刻修正手段は、前記電波時計の時刻に対して前記内蔵時計の時刻を所定時間ずらすことを特徴とする請求項７乃至９のいずれかに記載の機器本体。
【請求項１１】
機器本体を遠隔操作するリモコンであって、
電波時計と、
前記機器本体からの時刻データ要求信号を受けて前記電波時計の時刻データを前記機器本体に送信する時刻データ送信手段と
を有することを特徴とするリモコン。
【請求項１２】
前記時刻データ送信手段は、所定時間ごとに前記電波時計の時刻データを前記機器本体に送信することを特徴とする請求項１１に記載のリモコン。
【請求項１３】
前記時刻データ送信手段は、前記機器本体の電源回路が駆動されるたびに前記電波時計の時刻データを前記機器本体に送信することを特徴とする請求項１１又は１２に記載のリモコン。
【請求項１４】
電波時計を備えたリモコンで操作可能な機器本体が復電した場合に時刻合わせをする時計校正方法であって、
前記機器本体が復電した場合に、当該機器本体から前記リモコンに時刻データ要求信号が出力される時刻データ要求工程と、
前記時刻データ要求信号を受けて前記リモコンから前記機器本体に前記電波時計の時刻データが送信される時刻データ送信工程と、
前記電波時計の時刻データに基づいて前記機器本体の内蔵時計の時刻が修正される時刻修正工程と
を含むことを特徴とする時計校正方法。
【請求項１５】
電波時計を備えたリモコンで操作可能な機器本体が復電した場合に時刻合わせをする時計校正方法であって、
前記機器本体が復電し、かつタイマー設定が受け付けられた場合に、当該機器本体から前記リモコンに時刻データ要求信号が出力される時刻データ要求工程と、
前記時刻データ要求信号を受けて前記リモコンから前記機器本体に前記電波時計の時刻データが送信される時刻データ送信工程と、
前記電波時計の時刻データに基づいて前記機器本体の内蔵時計の時刻が修正される時刻修正工程と
を含むことを特徴とする時計校正方法。
【請求項１６】
前記電波時計の受信状態が悪いときに警告が発せられることを特徴とする請求項１４又は１５に記載の時計校正方法。
【請求項１７】
前記時刻修正工程において、前記機器本体の内蔵時計の時刻が前記電波時計の時刻データに対して所定時間ずらされることを特徴とする請求項１４乃至１６のいずれかに記載の時計校正方法。
【請求項１８】
前記時刻データ送信工程において、所定時間ごとに前記電波時計の時刻データが送信されることを特徴とする請求項１４乃至１７のいずれかに記載の時計校正方法。
【請求項１９】
前記時刻データ送信工程において、前記機器本体の電源回路が駆動されるたびに前記電波時計の時刻データが送信されることを特徴とする請求項１４乃至１８のいずれかに記載の時計校正方法。
【発明の詳細な説明】
【技術分野】
【０００１】
本発明は、リモコン付きのテレビジョン受像機、オーディオ機器などのセット機器に適用するに好適な、時計校正システム、機器本体、リモコンおよび時計校正方法に関するものである。
【背景技術】
【０００２】
従来、この種のセット機器において機器本体が復電（停電復帰）した場合、内蔵時計がリセットされ、面倒な再設定が必要となる。ここで、復電とは、定格を越える電流が流れて回路がブレーカで遮断された後、手動で回路を復電させた場合のほか、ユーザが電源コードを一旦抜いてから再び挿した場合や、このセット機器を初めて使用するときにユーザが電源コードを挿して通電した場合をも含む広い概念である。
【０００３】
そこで、こうした面倒を回避すべく、リモコンに電波時計を内蔵しておき、ユーザが時計修正用のキーを押すと、電波時計の時刻データを利用して機器本体の内蔵時計の時刻を修正する方法が提案されている（例えば、特許文献１参照）。
【特許文献１】特開２００１−４２０７０号公報（段落〔００１７〕〜〔００１９〕、〔００２３〕の欄、図１、２）
【発明の開示】
【発明が解決しようとする課題】
【０００４】
しかし、これでは、内蔵時計の時刻修正を行う際に、いちいちユーザが時計修正用のキーを押さなければならないので、時計校正に手間がかかるという不都合があった。
【０００５】
本発明は、こうした不都合を解消することが可能な、時計校正システム、機器本体、リモコンおよび時計校正方法を提供することを目的とする。
【課題を解決するための手段】
【０００６】
まず、請求項１に係る時計校正システムの発明は、電波時計を備えたリモコンで操作可能な機器本体が復電した場合に時刻合わせをする時計校正システムであって、前記機器本体は、内蔵時計と、前記機器本体の復電を検出する復電検出手段と、前記機器本体が復電した場合に前記リモコンに対して時刻データ要求信号を出力する時刻データ要求手段と、前記内蔵時計の時刻を前記電波時計の時刻データに基づいて修正する時刻修正手段とを有し、前記リモコンは、前記時刻データ要求信号を受けて前記電波時計の時刻データを前記機器本体に送信する時刻データ送信手段を有することを特徴とする。
また、請求項２に係る時計校正システムの発明は、電波時計を備えたリモコンで操作可能な機器本体が復電した場合に時刻合わせをする時計校正システムであって、前記機器本体は、内蔵時計と、前記機器本体の復電を検出する復電検出手段と、タイマー設定を受け付けるタイマー設定受付手段と、前記機器本体が復電し、かつタイマー設定が受け付けられた場合に前記リモコンに対して時刻データ要求信号を出力する時刻データ要求手段と、前記内蔵時計の時刻を前記電波時計の時刻データに基づいて修正する時刻修正手段とを有し、前記リモコンは、前記時刻データ要求信号を受けて前記電波時計の時刻データを前記機器本体に送信する時刻データ送信手段を有することを特徴とする。
また、請求項３に係る時計校正システムの発明は、前記電波時計の受信状態が悪いときに警告を発することを特徴とする。
また、請求項４に係る時計校正システムの発明は、前記時刻修正手段は、前記電波時計の時刻に対して前記内蔵時計の時刻を所定時間ずらすことを特徴とする。
また、請求項５に係る時計校正システムの発明は、前記時刻データ送信手段は、所定時間ごとに前記電波時計の時刻データを送信することを特徴とする。
また、請求項６に係る時計校正システムの発明は、前記時刻データ送信手段は、前記機器本体の電源回路が駆動されるたびに前記電波時計の時刻データを送信することを特徴とする。
また、請求項７に係る機器本体の発明は、電波時計を備えたリモコンで遠隔操作される機器本体であって、内蔵時計と、復電を検出する復電検出手段と、復電した場合に前記リモコンに対して時刻データ要求信号を出力する時刻データ要求手段と、前記内蔵時計の時刻を前記電波時計の時刻データに基づいて修正する時刻修正手段とを有することを特徴とする。
また、請求項８に係る機器本体の発明は、電波時計を備えたリモコンで遠隔操作される機器本体であって、内蔵時計と、復電を検出する復電検出手段と、タイマー設定を受け付けるタイマー設定受付手段と、復電し、かつタイマー設定が受け付けられた場合に前記リモコンに対して時刻データ要求信号を出力する時刻データ要求手段と、前記内蔵時計の時刻を前記電波時計の時刻データに基づいて修正する時刻修正手段とを有することを特徴とする。
また、請求項９に係る機器本体の発明は、前記電波時計の受信状態が悪いときに警告を発することを特徴とする。
また、請求項１０に係る機器本体の発明は、前記時刻修正手段は、前記電波時計の時刻に対して前記内蔵時計の時刻を所定時間ずらすことを特徴とする。
また、請求項１１に係るリモコンの発明は、機器本体を遠隔操作するリモコンであって、電波時計と、前記機器本体からの時刻データ要求信号を受けて前記電波時計の時刻データを前記機器本体に送信する時刻データ送信手段とを有することを特徴とする。
また、請求項１２に係るリモコンの発明は、前記時刻データ送信手段は、所定時間ごとに前記電波時計の時刻データを前記機器本体に送信することを特徴とする。
また、請求項１３に係るリモコンの発明は、前記時刻データ送信手段は、前記機器本体の電源回路が駆動されるたびに前記電波時計の時刻データを前記機器本体に送信することを特徴とする。
また、請求項１４に係る時計校正方法の発明は、電波時計を備えたリモコンで操作可能な機器本体が復電した場合に時刻合わせをする時計校正方法であって、前記機器本体が復電した場合に、当該機器本体から前記リモコンに時刻データ要求信号が出力される時刻データ要求工程と、前記時刻データ要求信号を受けて前記リモコンから前記機器本体に前記電波時計の時刻データが送信される時刻データ送信工程と、前記電波時計の時刻データに基づいて前記機器本体の内蔵時計の時刻が修正される時刻修正工程とを含むことを特徴とする。
また、請求項１５に係る時計校正方法の発明は、電波時計を備えたリモコンで操作可能な機器本体が復電した場合に時刻合わせをする時計校正方法であって、前記機器本体が復電し、かつタイマー設定が受け付けられた場合に、当該機器本体から前記リモコンに時刻データ要求信号が出力される時刻データ要求工程と、前記時刻データ要求信号を受けて前記リモコンから前記機器本体に前記電波時計の時刻データが送信される時刻データ送信工程と、前記電波時計の時刻データに基づいて前記機器本体の内蔵時計の時刻が修正される時刻修正工程とを含むことを特徴とする。
また、請求項１６に係る時計校正方法の発明は、前記電波時計の受信状態が悪いときに警告が発せられることを特徴とする。
また、請求項１７に係る時計校正方法の発明は、前記時刻修正工程において、前記機器本体の内蔵時計の時刻が前記電波時計の時刻データに対して所定時間ずらされることを特徴とする。
また、請求項１８に係る時計校正方法の発明は、前記時刻データ送信工程において、所定時間ごとに前記電波時計の時刻データが送信されることを特徴とする。
また、請求項１９に係る時計校正方法の発明は、前記時刻データ送信工程において、前記機器本体の電源回路が駆動されるたびに前記電波時計の時刻データが送信されることを特徴とする。
【発明の効果】
【０００７】
本発明によれば、機器本体が復電すると、それを検出して内蔵時計の時刻が自動的に修正されるので、時計校正の手間を省くことができる。
【発明を実施するための最良の形態】
【０００８】
以下、本発明の実施形態を図面に基づいて説明する。
【０００９】
図１は本発明に係るテレビジョン受像機の正面図、図２は図１に示すテレビジョン受像機のブロック図、図３は機器本体における動作フローを示すフローチャート、図４はリモコンにおける動作フローを示すフローチャートである。
【００１０】
テレビジョン受像機（セット機器）１は、図１に示すように、機器本体１０およびリモコン２０から構成されている。
【００１１】
この機器本体１０は、図２に示すように、選局や同調を行うチューナ１１と、映像信号や音声信号に各種の処理を施す信号処理装置１２と、映像を表示する液晶ディスプレイ（ＬＣＤ）１３と、内蔵時計１５と、マイコン（マイクロコンピュータ）１６と、各種のデータを記録するメモリ１７と、リモコン２０に対して双方向で信号をやり取りする通信部１４と、チューナ１１その他に給電する電源回路１８と、電源コード（ＡＣコード）１９とを備えている。
【００１２】
一方、リモコン２０は、図２に示すように、時刻情報が含まれる電波を受信する受信機２１と、電波時計２２と、機器本体１０の電源ＯＮ／ＯＦＦや各種のタイマー設定を行うキーボード２３と、マイコン（マイクロコンピュータ）２５と、機器本体１０に対して双方向で信号をやり取りする通信部２４とを備えている。
【００１３】
ここで、機器本体１０の通信部１４とリモコン２０の通信部２４との通信方式は、赤外線であると無線であるとを問わない。
【００１４】
テレビジョン受像機１は以上のような構成を有するので、機器本体１０が復電すると、それを検出して内蔵時計１５の時刻が自動的に修正される。
【００１５】
すなわち、機器本体１０のマイコン１６は、機器本体１０の復電を監視している（図３のステップＳ１１）。ここで、機器本体１０の復電を検出する一手法としては、停電によって電源回路１８の電圧レベルが低下し、復電によって電源回路１８の電圧レベルが復帰することを利用する方法が考えられる。つまり、マイコン１６は、電源回路１８の電圧レベルが所定の閾（しきい）値以下のとき、メモリ１７にフラグとして「０」を書き込み、電源回路１８の電圧レベルが所定の閾値を超えたとき、メモリ１７にフラグとして「１」を書き込む。そして、このフラグが「０」から「１」に変更された場合に、機器本体１０が復電したと判定する。
【００１６】
その結果、機器本体１０が復電した場合は、電源回路１８からの給電停止に伴って内蔵時計１５がリセットされている恐れがある。そこで、マイコン１６は、リモコン２０に対して電波時計２２の時刻データを要求すべく、通信部１４からリモコン２０に向けて時刻データ要求信号を出力する（図３のステップＳ１２）。
【００１７】
このとき、リモコン２０では、時刻データ要求信号の入力を監視しており（図４のステップＳ２１）、時刻データ要求信号が通信部２４を介してマイコン２５に入力されると、マイコン２５は、電波時計２２の時刻データを通信部２４を介して機器本体１０に送信する（図４のステップＳ２２）。
【００１８】
このとき、機器本体１０では、電波時計２２の時刻データの入力を監視しており（図３のステップＳ１３）、電波時計２２の時刻データが通信部１４を介してマイコン１６に入力されると、マイコン１６は、電波時計２２の時刻データに合致するように内蔵時計１５の時刻を修正する（図３のステップＳ１４）。例えば、電波時計２２の時刻データが「１０時２０分３０秒」である場合、内蔵時計１５の時刻も「１０時２０分３０秒」に設定する。
【００１９】
このように、機器本体１０が復電すると、それを検出して内蔵時計１５の時刻が自動的に修正されるので、時計校正に手間がかからない。この際、時刻情報を取り込む電波時計２２は、機器本体１０ではなくリモコン２０に内蔵されているので、リモコン２０を電波受信環境の良好な場所に容易に移動することにより、機器本体１０の設置場所（電波受信環境）とは無関係に内蔵時計１５の時刻修正を簡便に行うことができる。しかも、電波時計２２を機器本体１０に内蔵する場合と異なり、電波時計２２の配置時に電界強度を考慮する必要がない。
【００２０】
また、このテレビジョン受像機１では、たとえ機器本体１０が復電しなくても、２４時間（１日）ごとに内蔵時計１５の時刻修正が実行される。
【００２１】
すなわち、リモコン２０のマイコン２５は、電波時計２２の時刻データを参照して現時刻を常に認識しており（図４のステップＳ２３）、現時刻が午前０時になると、マイコン２５は、電波時計２２の時刻データを通信部２４を介して機器本体１０に送信する（図４のステップＳ２２）。
【００２２】
このとき、機器本体１０では、電波時計２２の時刻データの入力を監視しており（図３のステップＳ１３）、電波時計２２の時刻データが通信部１４を介してマイコン１６に入力されると、マイコン１６は、電波時計２２の時刻データに基づいて内蔵時計１５の時刻を修正する（図３のステップＳ１４）。
【００２３】
このように、２４時間ごとに内蔵時計１５の時刻修正が行われるので、内蔵時計１５の精度があまり高くなくても、毎日の時刻修正によってほぼ正確な時刻が刻まれる。したがって、リモコン２０のキーボード２３を操作してタイマー録画予約などのタイマー設定を行う際に、そのタイマー設定を一層正確に実行することができる。
【００２４】
なお、ここでは、毎日午前０時に内蔵時計１５の時刻修正を行うようにしたが、この時刻は午前０時に限るわけではなく、ユーザの都合に合わせて任意の時刻に設定することができる。また、内蔵時計１５の時刻修正の頻度は１日１回に限られず、１日に２回以上でも、数日に１回でもよい。
【００２５】
また、こうした内蔵時計１５の時刻修正は、リモコン２０の電波時計２２が受信機２１を介して常に最新の時刻情報を受信していてはじめて実行可能となるので、リモコン２０では、電波時計２２の受信状態を常にチェックしている（図４のステップＳ２４）。そして、電波時計２２の受信状態が悪いと、リモコン２０のマイコン２５は、通信部２４を介して受信不能表示要求信号を機器本体１０に出力する（図４のステップＳ２５）。
【００２６】
このとき、機器本体１０では、受信不能表示要求信号の入力を監視しており（図３のステップＳ１５）、受信不能表示要求信号が通信部１４を介してマイコン１６に入力されると、マイコン１６は、図１に示すように、リモコン２０の位置変更を促すメッセージ２を所定時間（例えば、１０秒間など）だけ液晶ディスプレイ１３上に表示して警告を発する（図３のステップＳ１６）。
【００２７】
これを見てユーザは、リモコン２０の位置を適宜変更する。このリモコン２０の位置変更は、警告が出なくなるまで繰り返される。その結果、リモコン２０は最終的には電波状態の良好な場所に移動するため、内蔵時計１５の時刻修正を確実に実行することが可能となる。
【００２８】
なお、上述の実施形態においては、機器本体１０が復電した場合に内蔵時計１５の時刻修正を行う場合について説明したが、ユーザがタイマー録画予約などのタイマー設定を使わないのであれば、機器本体１０が復電しても内蔵時計１５の時刻修正を行う必要性が少ない。そこで、機器本体１０が復電し、かつタイマー設定が受け付けられた場合に限り、内蔵時計１５の時刻修正を行うようにしてもよい。
【００２９】
なお、上述の実施形態においては、電波時計２２の受信状態が悪い旨の警告を発するときに、液晶ディスプレイ１３上にメッセージ２を表示する場合について説明したが、警告を発する方法はこれに限るわけではない。例えば、電波時計２２の受信状態が悪い旨のアナウンスを機器本体１０のスピーカ（図示せず）から流すことも可能である。
【００３０】
なお、上述の実施形態においては、電波時計２２の時刻データに合致するように内蔵時計１５の時刻を修正する場合について説明したが、電波時計２２の時刻に対して内蔵時計１５の時刻を所定時間ずらすカスタム化を実現することもできる。例えば、電波時計２２の時刻データが「１０時２０分３０秒」である場合、放送番組の頭切れを防止すること等を目的として、内蔵時計１５の時刻をそれより１分だけ進めて「１０時２１分３０秒」に設定してもよい。或いはまた、電波時計２２の時刻データが「１０時２０分３０秒」である場合、放送番組の尻切れを防止すること等を目的として、内蔵時計１５の時刻をそれより３０秒だけ遅らせて「１０時２０分００秒」に設定しても構わない。
【００３１】
なお、上述の実施形態においては、機器本体１０の復電時や２４時間ごとに内蔵時計１５の時刻を修正する場合について説明したが、機器本体１０の電源回路１８が駆動されるたびに内蔵時計１５の時刻を修正するようにしてもよい。また、リモコン２０のキーボード２３を操作するたびに内蔵時計１５の時刻を修正することも可能であるが、時刻修正が頻発してリモコン２０の電池消費量が大きくなってしまう点で好ましくない。
【００３２】
なお、上述の実施形態においては、セット機器の一例としてテレビジョン受像機１を取り上げて説明したが、テレビジョン受像機１以外のセット機器（例えば、オーディオ機器など）に本発明を適用することも勿論できる。
【産業上の利用可能性】
【００３３】
本発明は、リモコン付きのテレビジョン受像機、オーディオ機器など各種のセット機器に広く適用することができる。とりわけ、チューナを内蔵しないセット機器では、放送から時刻情報を取得することができないので、本発明は有用性を増す。
【図面の簡単な説明】
【００３４】
【図１】本発明に係るテレビジョン受像機の正面図である。
【図２】図１に示すテレビジョン受像機のブロック図である。
【図３】機器本体における動作フローを示すフローチャートである。
【図４】リモコンにおける動作フローを示すフローチャートである。
【符号の説明】
【００３５】
１……セット機器（テレビジョン受像機）
１０……機器本体
１５……内蔵時計
１６……マイコン（復電検出手段、時刻データ要求手段、時刻修正手段）
１８……電源回路
２０……リモコン
２２……電波時計
２５……マイコン（時刻データ送信手段）
【図１】
2006329948.tif 000003
【図２】
2006329948.tif 000004
【図３】
2006329948.tif 000005
【図４】
2006329948.tif 000006